(57)【要約】      （修正有）【課題】特定の光色を出力するよう調光設定をプリセットし、使用する部屋の壁の色によっては所望の光色にして、使用する部屋の壁の色による光色への影響を低減する照明装置を提供する。【解決手段】照明装置に壁の色味を入力する手段を設け、入力された情報によりプリセットされた光色を変更する手段を持つ。色温度の異なる２つ以上の光源と、これら光源それぞれの発光量を予め定めた値とするプリセット機能を有する照明装置において、照明装置が設置される空間の壁色に基づいた情報を入力する周辺色入力手段と、周辺色入力手段により入力された情報に基づき、プリセット機能を動作する際の２つ以上の光源の発光量を変更する手段を有する。【選択図】図６
2020187832.tif 000002
【特許請求の範囲】
【請求項１】
色温度の異なる２つ以上の光源と、これら光源それぞれの発光量を予め定めた値とするプリセット機能を有する照明装置において、
前記照明装置が設置される空間の壁色に基づいた情報を入力する周辺色入力手段と、前記周辺色入力手段により入力された情報に基づき、前記プリセット機能を動作する際の前記２つ以上の光源の発光量を変更する手段を有することを特徴とする照明装置。
【請求項２】
前記周辺色入力手段に入力する情報は、前記空間の壁を撮影したデジタル画像データより生成されることを特徴とする請求項１に記載の照明装置。
【請求項３】
前記周辺色入力手段は、製品付属のリモコンからの入力であることを特徴とする請求項１または２に記載の照明装置。
【発明の詳細な説明】
【技術分野】
【０００１】
本発明は、照明装置に関するものである。   
【背景技術】
【０００２】
近年ＬＥＤ照明装置の普及は年々進んでおり、市場の要求も従来の低消費電力、高寿命化にとどまらず、使用者の嗜好に応じた多様な光を提供できるような機能が求められている。
【０００３】
一般的に、暖色系の光は心身のリラックス効果が期待されるとされており、寒色系の光は照射対象物の演色性が向上し文字等が判別しやすくなると言われている。こういった照明光がもたらす効果を背景に、複数色のＬＥＤを組み合わせて光の色を調整することで、特定の効果をもたらすことを期待した照明機器が提案されており、例えば特許文献１では、白色、電球色、赤色の３種の光源によりピンク色の光を発生させることで、使用者のストレス軽減を図る照明装置が提案されている。
【０００４】
光色を変更可能な照明装置は、一般的にリモコンに調色用のボタンを有し、昼光色から電球色まで段階的に光色を変更する機能を持つが、これとは別に特定の光色が出力される設定を製品出荷時に予めプリセットしておき、リモコンのボタン一つで所望の光色となる機能を搭載しているものも多い。
【先行技術文献】
【特許文献】
【０００５】
【特許文献１】特開２０１２−２２１８５２号公報
【発明の概要】
【発明が解決しようとする課題】
【０００６】
プリセットされた光色は特定の効果を期待するものであることが多い。例えばリラックス効果を得ることを期待し２０００Ｋの光色で出力する設定をプリセットした場合、設置した部屋の壁の色が白色だった場合と、クリーム色などの暖色系だった場合において、使用者が得る感覚は異なることが想定される。
【０００７】
プリセット設定が白色壁を想定したものであった場合、壁面がクリーム色の使用者は、必要以上に光色を赤く感じることが想定され、その結果、使用者は本来不要である手動の光色調整を実施する等、所望の光色にするために煩雑な操作が必要となってしまう。
【０００８】
本発明の目的は、使用する部屋の壁面色に関わらず使用可能な、光色設定のプリセット機能を提供することにある。
【課題を解決するための手段】
【０００９】
上記従来の課題を解決するため、本発明では、照明を設置する部屋の壁色を入力する手段と、壁色に応じてプリセットされた各ＬＥＤへの入力電流を変更する手段を有する。
【発明の効果】
【００１０】
本発明によれば、使用する部屋の壁面色によらず使用可能な光色設定のプリセット機能を有した照明装置を提供することができる。
【図面の簡単な説明】
【００１１】
【図１】本発明に係る一実施形態の照明装置の全体図。
【図２】本発明に係る一実施形態の照明装置の内部構造図。
【図３】本発明に係る一実施形態の照明装置用リモコンの外形図。
【図４】本発明に係る一実施形態の照明装置の機能ブロック図。
【図５】本発明に係る一実施形態の照明装置における調光テーブルの例。
【図６】図４の照明装置において周辺色入力手段を適用した例。
【図７】本発明に係る一実施形態の照明装置の補正テーブル例。
【発明を実施するための形態】
【００１２】
本発明の実施形態の一例について図を用いて説明する。図１は本発明に係る照明装置例の全体図である。照明装置１及び照明装置のＯＮ／ＯＦＦ等操作を行うリモコン２で構成される。
【００１３】
図２は本実施形態の照明装置１の内部構造を示す。透光カバー３、及び透光用樹脂カバー４を取り外した内部に、複数色のＬＥＤが配置された光源基板５が備えられている。光源基板５は配置されているＬＥＤの種類分の電気回路が存在しており、回路への入力電流を増減することにより、ＬＥＤの種類ごとに輝度調整が可能となっている。本例では仮に白色ＬＥＤ回路と橙色ＬＥＤ用回路の２回路が存在するものとする。また、光源基板５には、リモコン信号受信回路６を備え、リモコン２からの入力信号を受信し、光源基板の背部に備えられている制御基板（図示せず）に送信する。
【００１４】
図３はリモコン２の外形を示す。本実施形態におけるリモコン２には光色設定ボタン７、８とリラックスボタン９を有する。光色設定ボタン７を押すと白色光となるよう動作し、光色設定ボタン８を押すと暖色光となるように動作する。リラックスボタン９は押されることで、光色設定ボタン７、８による光色設定によらず、あらかじめプリセットされた光色とする機能を持つ。
【００１５】
図４は本実施形態の照明装置における機能ブロックを示す。
照明装置１は、電源４１（または商用電源）及び電源回路４２から電力を供給されて動作する。電源回路４２は、電源４１の電力を所定の電圧または電流に調整する機能を有する。
【００１６】
また、照明装置１は、リモコン信号受信回路６を備えている。リモコン信号受信回路６、リモコン２のボタン操作によってリモコン２から出力される信号（例えば、赤外光）を受信し、受信した信号を制御部４４に送信する機能を有する。
【００１７】
リモコン２は、人によって操作される光色設定ボタン７，８やリラックスボタン９等複数のボタンを有しており、操作されたボタンに対して設定された信号を出力する機能を有する。
【００１８】
照明装置１は、制御部４４と、少なくとも２つの点灯回路４５、４６、および２種類のＬＥＤモジュール（光源）４７、４８を有する。なお、本発明の説明に必要な機能以外については記載を省略する。
【００１９】
制御部４４は、マイコン等であり、リモコン信号受信回路６によって受信された信号を受け付けて、点灯回路４５、４６を制御する制御信号を生成する機能を有する。制御信号は、例えばＰＷＭ(Pulse Width Modulation)信号である。制御部４４は、ＣＰＵ(Central Processing Unit)およびメインメモリによって構成され、記憶部４９に記憶されているアプリケーションプログラムをメインメモリに展開して、その機能を具現化する。
【００２０】
点灯回路４５、４６は、制御部４４から受信した制御信号に基づいて、ＬＥＤモジュール４７，４８を駆動する機能を有する
ＬＥＤモジュール４７と４８は、駆動したときの光色が異なり、本例では、白色に発光するＬＥＤと橙色に発光するＬＥＤをそれぞれ使用している。
【００２１】
次に、本実施形態において、調光制御を行う際の動作について説明する。
【００２２】
リモコン２にてなんらかのボタンが押下された場合、リモコン２はリモコン信号受信回路６に対しそのボタンが押下されたことを示す制御信号を送信する。リモコン信号受信回路６は制御信号を制御部４４に渡し、制御部４４が押下されたボタンの種類を判別し、ボタンの種類に応じた処理を実施する。制御部４４において光色ボタン７が押下されたことを判別した場合、光色を白色側に変更する動作を行う。
【００２３】
記憶部４９には、図５に示すテーブルが格納されている。本テーブルは制御部４４が点灯回路４５、４６を制御する際、それぞれの回路に流す電流値を全灯時の電流を元にした比率で表したものである。本テーブルは昼光色を段階１とし、電球色を段階６と設定し、その間段階的に光色が変化することを示している。
【００２４】
制御部４４は現在の段階値を保持しており、その段階値に応じた電流値を点灯回路４５、４６に流すよう制御する。
【００２５】
なお本テーブルの構成は上記に限らず、電流値そのものを格納してもよいし、ＰＷＭのパルス発生条件を示す情報を格納してもよい。また段階値はさらに細かく設定してもよいし、テーブルを持たずにリニアに階調を設定するような構成でもよい。
【００２６】
リモコン２において光色ボタン７が押下された場合、この情報をリモコン信号受信回路６より受信した制御部４４は、内部に保存している段階値を1段階減ずる動作を行う。例えば、段階値３のときに光色ボタン７が押下されると段階値２になり、光色が白色側に変更するようになる。
【００２７】
また、同様に光色ボタン８が押下された場合は、段階値を1段階増加する動作を行う。これは例えば、段階値３のときに光色ボタン８が押下されると段階値４になり、光色が橙色側に変更するようになるということである。
【００２８】
なお、段階値が下限の場合（段階値が１の場合）に光色ボタン７が押下された場合は、段階値を減ずる動作は行わない。また同様に段階値が上限の場合（段階値が６の場合）に光色ボタン８が押下された場合も、段階値を増加する動作は行わない。
【００２９】
また、リモコン２においてリラックスボタン９が押された場合、この情報をリモコン信号受信回路６より受信した制御部４４は、現在保存されている段階値によらず、常に予め設定された段階値に基づき光色を変更する。例えば本機能が暖色系の光色をプリセットすることを目的としている場合、図５における段階値として６を予め設定しておくことで、ボタン一つで光色を電球色に変更する機能とすることができる。
【００３０】
次に、本発明の特徴である周辺色入力部を有する照明装置について、図６を用いて説明する。
【００３１】
図６は図４の照明装置１に対し、周辺色入力部５０と周辺色入力機器５１を追加している。
【００３２】
周辺色入力部５０は周辺色入力機器５１より受信した周辺色情報を制御部４４に渡す。本実施例では一例として周辺色のＲ値を周辺色入力機器５１により入力されたものとする。周辺色情報を受け取った制御部は、図７のテーブルを参照し、補正値を取得する。この補正値は前述のリラックスボタン９を押した際、プリセットされた段階値を減ずる値として使用する。
【００３３】
例えば前述の例（リラックスボタン９に段階値として６が予め設定されている例）において、周辺色としてＲ値１５０が入力されたとすると、補正値は３となり、リラックスボタン９を押した際の段階値は３となる。
【００３４】
これにより、補正後の橙色ＬＥＤの出力は１００％から４０％に減少することとなり、周辺色を入力することで、リラックスボタン９を押した時の光色を出荷時の設定よりも、より白色の光で点灯するようにすることができる。
【００３５】
周辺色入力部５０は例えば顧客のスマートフォンを活用する構成としてもよい。スマートフォン搭載のカメラを使用して壁を撮影し、撮影画像情報を解析した結果を周辺色入力部に与えることで、より簡便な機能を提供することができる。
【００３６】
また本例では、周辺色入力部５０にＲ値を入力することとしたが、壁の色味を表す色相情報を入力することとしてもよい。
【００３７】
また、周辺色入力機器５１をリモコン２と共用させる構成を取っても良い。同様に周辺色入力部５０をリモコン信号受信回路６と共用させる構成を取っても良い。
【符号の説明】
【００３８】
１ 照明装置 
２ リモコン  
３ 透光カバー
４ 透光用樹脂カバー
５ 光源基板
６ リモコン信号受信回路
７,８ 光色ボタン
９ リラックスボタン
４１ 電源   
４２ 電源回路   
４４ 制御部
４５,４６ 点灯回路
４７,４８ LEDモジュール
４９ 記憶部
５０ 周辺色入力部 
５１ 周辺色入力機器
【図１】
2020187832.tif 000003
【図２】
2020187832.tif 000004
【図３】
2020187832.tif 000005
【図４】
2020187832.tif 000006
【図５】
2020187832.tif 000007
【図６】
2020187832.tif 000008
【図７】
2020187832.tif 000009